(57)【要約】【課題】  例えば、小型、広画角、高倍率、および全ズーム範囲にわたる高い光学性能の点で有利なズームレンズを提供することを目的とする。【解決手段】  物体側から像側へ順に、変倍のためには移動しない正の第１レンズ群と、変倍のために移動する負の第２レンズ群と、変倍のために移動する正の第３レンズ群と、変倍のために移動する正の第４レンズ群と、変倍のためには移動しない正の第５レンズ群と、から構成されるズームレンズにおいて、前記第１、２、３、４、５レンズ群のうち隣接するレンズ群の間隔が変倍時に変化するように構成され、前記第３レンズ群は物体側から像側へ順に、正レンズ、正レンズ、負レンズの３枚のレンズで構成され、広角端での焦点距離、望遠端での焦点距離、前記第２レンズ群の広角端及び望遠端での横倍率、前記第３レンズ群の焦点距離、前記第３レンズ群の前記負レンズの焦点距離を適切に設定することを特徴とする。【選択図】  図１
2019148759.tif 000002
【特許請求の範囲】
【請求項１】
物体側から像側へ順に、変倍のためには移動しない正の屈折力を有する第１レンズ群と、変倍のために移動する負の屈折力を有する第２レンズ群と、変倍のために移動する正の屈折力を有する第３レンズ群と、変倍のために移動する正の屈折力を有する第４レンズ群と、変倍のためには移動しない正の屈折力を有する第５レンズ群とから構成されるズームレンズであって、
前記第１レンズ群、前記第２レンズ群、前記第３レンズ群、前記第４レンズ群、および前記第５レンズ群のうちいずれの隣接する２つのレンズ群の間隔も変倍のために変化するように構成され、
前記第３レンズ群は、物体側から像側へ順に、正レンズ、正レンズ、負レンズの３枚のレンズで構成され、広角端での焦点距離をｆｗとし、望遠端での焦点距離をｆｔとし、前記第２レンズ群の広角端での横倍率をβ２ｗとし、前記第２レンズ群の望遠端での横倍率をβ２ｔとし、前記第３レンズ群の焦点距離をｆ３とし、前記第３レンズ群の前記負レンズの焦点距離をｆ３ｎとして、
２．１＜（ｆｔ／ｆｗ）／（β２ｔ／β２ｗ）＜１０
−０．７＜ｆ３ｎ／ｆ３＜−２．３
なる条件式を満足することを特徴とするズームレンズ。
【請求項２】
前記第１レンズ群の焦点距離をｆ１とし、前記第２レンズ群の焦点距離をｆ２として、
１．２＜｜ｆｔ／ｆ１｜＜５．０
３．０＜｜ｆ１／ｆ２｜＜１５．０
なる条件式を満足する事を特徴とする請求項１に記載のズームレンズ。
【請求項３】
前記第３レンズ群の前記正レンズの平均アッベ数をνｄ３ｐとし、前記第３レンズ群の前記負レンズのアッベ数をνｄ３ｎとして、
１０＜νｄ３ｐ−νｄ３ｎ＜５４
なる条件式を満足することを特徴とする請求項１又は２に記載のズームレンズ。
【請求項４】
前記第３レンズ群の最も物体側のレンズの屈折率をＮｄ３ａとして、
１．６＜Ｎｄ３ａ
なる条件式を満足することを特徴とする請求項１乃至３のうちいずれか１項に記載のズームレンズ。
【請求項５】
広角端における前記第２レンズ群と前記第３レンズ群との間隔をＬ２ｗとし、広角端における前記第３レンズ群と前記第４レンズ群との間隔をＬ３４ｗとし、前記ズームレンズのズーム比をｚとした場合にｆｗ×ｚ０．２５となる焦点距離での前記第３レンズ群と前記第４レンズ群との間隔をＬ３４ｚ１として、
０．０２＜（Ｌ３４ｚ１−Ｌ３４ｗ）／Ｌ２３ｗ＜０．２
なる条件式を満足することを特徴とする請求項１乃至４のうちいずれか１項に記載のズームレンズ。
【請求項６】
前記第４レンズ群の焦点距離をｆ４として、
０．８＜ｆ３／ｆ４＜１．７
なる条件式を満足することを特徴とする請求項１乃至５のうちいずれか１項に記載のズームレンズ。
【請求項７】
前記第３レンズ群は広角端から望遠端への変倍のために物体側へ移動し、広角端から望遠端への前記第３レンズ群の移動量をｍ３とし、前記第１レンズ群の最も物体側のレンズ面の頂点から前記第５レンズ群の最も像側のレンズ面の頂点までの距離をＴｄとして、
０．０５＜ｍ３／Ｔｄ＜０．３
なる条件式を満足することを特徴とする請求項１乃至６のうちいずれか１項に記載のズームレンズ。
【請求項８】
前記第２レンズ群は、物体側から像側へ順に、第２ａレンズ群と、第２ｂレンズ群とから構成され、広角端から望遠端への前記第２ａレンズ群の移動量および広角端から望遠端への前記第２ｂレンズ群の移動量をそれぞれｍ２ａおよびｍ２ｂとして、
０．９＜ｍ２ａ／ｍ２ｂ＜１．１
なる条件式を満足することを特徴とする請求項１乃至７のうちいずれか１項に記載のズームレンズ。
【請求項９】
請求項１乃至８のうちいずれか１項に記載のズームレンズと、
前記ズームレンズによって形成された像を受ける撮像素子と、
を有することを特徴とする撮像装置。
【発明の詳細な説明】
【技術分野】
【０００１】
本発明は、ズームレンズ及び撮像装置に関する。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている
特許文献１には、ポジティブリード型のズームレンズとして、負の屈折力の第２群、正の屈折力の第３群、正の屈折力の第４群の３つの可動レンズ群が、変倍と該変倍に伴う像面変動補正とを行う５群ズームレンズが開示されている。
【先行技術文献】
【特許文献】
【０００３】
【特許文献１】特開２０１６−１２１１８号公報
【発明の概要】
【発明が解決しようとする課題】
【０００４】
ポジティブリード型の５群ズームレンズにおいて、小型化、高倍率化および、高い光学性能を達成しつつ、広画角化やズーム動作の高速化、ズーム操作時の素早い応答性を得るには、各レンズ群の屈折力配置や構成等を適切に設定することが重要である。特に、変倍レンズ群としての第３レンズ群の構成および屈折力を適切に設定することが重要になってくる。屈折力配置や構成を適切に設定しないと、小型化、高倍率、広画角、高い光学性能を維持しつつ、ズーム動作の高速化やズーム操作の素早い応答性を得るのが難しくなってくる。
【０００５】
特許文献１では、第３レンズ群が正レンズ１枚、または正レンズ、正レンズ、負レンズの３枚で構成されるズームレンズが開示されている。このズームレンズは、ズーム中間の色収差補正が不十分であるため、改善の余地がある。
【０００６】
本発明は、例えば、小型、広画角、高倍率、および全ズーム範囲にわたる高い光学性能の点で有利なズームレンズを提供することを目的とする。
【課題を解決するための手段】
【０００７】
上記目的を達成するために、本発明のズームレンズは、物体側から像側へ順に、変倍のためには移動しない正の屈折力を有する第１レンズ群と、変倍のために移動する負の屈折力を有する第２レンズ群と、変倍のために移動する正の屈折力を有する第３レンズ群と、変倍のために移動する正の屈折力を有する第４レンズ群と、変倍のためには移動しない正の屈折力を有する第５レンズ群とから構成されるズームレンズであって、前記第１レンズ群、前記第２レンズ群、前記第３レンズ群、前記第４レンズ群、および前記第５レンズ群のうちいずれの隣接する２つのレンズ群の間隔も変倍のために変化するように構成され、前記第３レンズ群は、物体側から像側へ順に、正レンズ、正レンズ、負レンズの３枚のレンズで構成され、広角端での焦点距離をｆｗとし、望遠端での焦点距離をｆｔとし、前記第２レンズ群の広角端での横倍率をβ２ｗとし、前記第２レンズ群の望遠端での横倍率をβ２ｔとし、前記第３レンズ群の焦点距離をｆ３とし、前記第３レンズ群の前記負レンズの焦点距離をｆ３ｎとして、
２．１＜（ｆｔ／ｆｗ）／（β２ｔ／β２ｗ）＜１０
−０．７＜ｆ３ｎ／ｆ３＜−２．３
なる条件式を満足することを特徴とする
【発明の効果】
【０００８】
本発明によれば、小型、広画角、高倍率、および全ズーム範囲にわたる高い光学性能の点で有利なズームレンズを提供することができる。
【図面の簡単な説明】
【０００９】
【図１】数値実施例１の広角端において無限遠合焦時のレンズ断面図
【図２】数値実施例１の広角端（ａ）、ｆ＝２８．１ｍｍ（ｂ）、ｆ＝１００ｍｍ（ｃ）、ｆ＝３４０ｍｍ（ｄ）、望遠端（ｅ）で無限遠合焦時の縦収差図
【図３】数値実施例２の広角端において無限遠合焦時のレンズ断面図
【図４】数値実施例２の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図５】数値実施例３の広角端において無限遠合焦時のレンズ断面図
【図６】数値実施例３の広角端（ａ）、ｆ＝２７．２ｍｍ（ｂ）、ｆ＝１００ｍｍ（ｃ）、ｆ＝３４０ｍｍ（ｄ）、望遠端（ｅ）で無限遠合焦時の縦収差図
【図７】数値実施例４の広角端において無限遠合焦時のレンズ断面図
【図８】数値実施例４の広角端（ａ）、ｆ＝１５．２ｍｍ（ｂ）、ｆ＝５０ｍｍ（ｃ）、ｆ＝１２３ｍｍ（ｄ）、望遠端（ｅ）で無限遠合焦時の縦収差図
【図９】数値実施例５の広角端において無限遠合焦時のレンズ断面図
【図１０】数値実施例５の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図１１】数値実施例６の広角端において無限遠合焦時のレンズ断面図
【図１２】数値実施例６の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図１３】本発明の撮像装置の要部概略図
【図１４】数値実施例１の近軸屈折力配置外略図
【図１５】数値実施例１の広角端（ａ）、ｆ＝３４０ｍｍ（ｂ）、望遠端（ｃ）で無限遠合焦時の光路図
【発明を実施するための形態】
【００１０】
以下に、本発明の好ましい実施の形態を、添付の図面に基づいて詳細に説明する。
本発明のズームレンズは、物体側から像側へ順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する第４レンズ群Ｌ４、変倍のためには移動しない正の屈折力を有する第５レンズ群Ｌ５、から構成されている。
【００１１】
ここでレンズ群が変倍のためには移動しないというのは、レンズ群が変倍を行う目的で駆動されることはないが、変倍とフォーカス調整とを同時に行う場合があれば、フォーカス調整のために移動することはあり得るということを意味する。なお、本発明の説明においては、原則としてズーミング中に光学面間の間隔が変化する光学面によってレンズ群の境界を定義するものとする。すなわち、変倍時に、第１レンズ群、第２レンズ群、第３レンズ群、第４レンズ群、第５レンズ群のうち隣接するレンズ群の間隔が変化するように構成される。
【００１２】
図１４は後述する数値実施例１のズームレンズの近軸屈折力配置の概略図であり、変倍に際して、第２乃至第４レンズ群Ｌ２乃至Ｌ４の移動軌跡を示している。図中、上方が広角端であり、下方が望遠端である。上方から下方へ繋がる実線は変倍に際して移動する各レンズ群の軌跡を示している。第３レンズ群Ｌ３と第４レンズ群Ｌ４は焦点距離がｆ＝２８ｍｍの位置で間隔が広がるように移動することで、第１レンズ群Ｌ１の径縮小を可能としている。また、ｆ＝３４０ｍｍの位置で間隔が狭くなるように移動することで、第３レンズ群Ｌ３及び第４レンズ群Ｌ４の径縮小を可能としている。加えて、広角端から望遠端への変倍に際して第３レンズ群Ｌ３と第４レンズ群Ｌ４は全体として物体側へ移動する軌跡となる。つまり、図１４に示すように、第３レンズ群Ｌ３は広角端から望遠端への変倍に際して複雑な軌跡で移動することになる。
【００１３】
図１５は数値実施例１のズームレンズの広角端（ａ）、ｆ＝３４０ｍｍ（ｂ）、望遠端（ｃ）で無限遠合焦時の光路図を示している。図１５からわかるように、第３レンズ群Ｌ３のレンズ径はｆ＝３４０ｍｍの軸上光線で決まっている。そのため、広角化を図りながら、第１レンズ群Ｌ１の径の増大を抑制すると、第２レンズ群Ｌ２の屈折力が大きくなることで、第３レンズ群Ｌ３の径および重量は増大傾向となる。また、高倍率化を図ろうとすると、第２乃至第４レンズ群Ｌ２乃至Ｌ４の移動量が大きくなることで、ズーム操作時の仕事量は増大傾向となる。すなわち広角化、高倍率化を図ると良好なズーム操作性を得ることが困難となる。仕事量を減らすために第３レンズ群の構成枚数を少なくすることは可能であるが、上述した第３レンズ群Ｌ３と第４レンズ群Ｌ４の間隔が広がるズーム位置において軸上色収差および倍率色収差の補正が困難となってしまう。
【００１４】
そこで、本発明では広画角、高倍率で全ズーム範囲にわたり高い光学性能を有し、良好なズーム操作性を達成するために、第３レンズ群の構成や屈折力配置を適切にしている。
【００１５】
本発明のズームレンズは、物体側から像側へ順に、変倍のためには移動しない正の屈折力を有する第１レンズ群と、変倍のために移動する負の屈折力を有する第２レンズ群と、変倍のために移動する正の屈折力を有する第３レンズ群と、変倍のために移動する正の屈折力を有する第４レンズ群と、変倍のためには移動しない正の屈折力を有する第５レンズ群とを備える。第３レンズ群は物体側から像側へ順に、正レンズ、正レンズ、負レンズの３枚のレンズで構成される。また、広角端での焦点距離をｆｗとし、望遠端での焦点距離をｆｔとし、前記第２レンズ群の広角端での横倍率をβ２ｗとし、前記第２レンズ群の望遠端での横倍率をβ２ｔとし、第３レンズ群の焦点距離をｆ３とし、第３レンズ群の負レンズの焦点距離をｆ３ｎとして、
２．１≦（ｆｔ／ｆｗ）／（β２ｔ／β２ｗ）≦１０  ・・・（１）
−０．７６≦ｆ３ｎ／ｆ３≦−２．３  ・・・（２）
なる条件式を満たしている。
【００１６】
条件式（１）は第２レンズ群Ｌ２を除く、レンズ群による変倍分担値を規定している。これにより、第２レンズ群を除くレンズ群にも変倍作用を持たせることで高倍率化が可能となる。
【００１７】
条件式（１）の上限の条件が満たされないと、第３レンズ群Ｌ３および第４レンズ群Ｌ４の移動量が大きくなることで良好なズーム操作性を得ることが困難となる。もしくは、第３レンズ群Ｌ３および第４レンズ群Ｌ４の屈折力が強くなりすぎ、良好な光学性能を達成することが困難となる。
【００１８】
条件式（１）の下限の条件が満たされないと、第２レンズ群Ｌ２の望遠端での倍率が大きくなりすぎることで、望遠端の軸上色収差補正が困難となる。
【００１９】
更に好ましくは条件式（１）を次のように設定するのが良い。
３．０≦（ｆｔ／ｆｗ）／（β２ｔ／β２ｗ）≦７．０  ・・・（１ａ）
【００２０】
また、条件式（２）は第３レンズ群Ｌ３の焦点距離と第３レンズ群Ｌ３内の負レンズの焦点距離比を規定している。これにより、ズーム中間で第３レンズ群Ｌ３と第４レンズ群Ｌ４の間隔が広くなり、また狭くなってもズームによる軸上色収差及び倍率色収差の変動を良好に補正することが可能である。
【００２１】
条件式（２）の上下限の条件が満たされないと、第３レンズ群の色収差補正が十分でなくなることで、ズーム中間の軸上色収差および、倍率色収差の補正が困難となる。
【００２２】
更に好ましくは条件式（２）を次のように設定するのが良い。
−０．７９≦ｆ３ｎ／ｆ３≦−２．３  ・・・（２ａ）
【００２３】
さらに本発明において、第１レンズ群の焦点距離をｆ１とし、第２レンズ群の焦点距離をｆ２として、
１．２＜｜ｆｔ／ｆ１｜＜５．０  ・・・（３）
３．０＜｜ｆ１／ｆ２｜＜１５．０  ・・・（４）
なる条件式を満足することが好ましい。条件式（３）は望遠端の焦点距離と第１レンズＬ１の焦点距離との比を規定している。条件式（３）を満たすことで、高倍率化を達成しながら望遠端の収差を良好に補正することが可能となる。
【００２４】
条件式（３）の上限の条件が満たされないと、ズームレンズの小型化には有利であるが、望遠端の光学性能、特に軸上色収差を良好に補正することが困難となる。
【００２５】
条件式（３）の下限の条件が満たされないと、第１レンズ群の焦点距離が増大して、ズームレンズの高倍率化と小型化の両立が困難となる。更に好ましくは条件式（３）式を次のように設定するのが良い。
３．０＜｜ｆｔ／ｆ１｜＜５．０  ・・・（３ａ）
【００２６】
条件式（４）は第１レンズ群Ｌ１の焦点距離ｆ１と第２レンズ群Ｌ２の焦点距離ｆ２の比を規定している。条件式（４）を満たすことで、広画角化を達成しながら、望遠端の収差を良好に補正することが可能となる。
【００２７】
条件式（４）の上限の条件が満たされないと、第１レンズ群Ｌ１の焦点距離が相対的に長くなるため、第１レンズ群Ｌ１のレンズ径が大きくなることで、広画角が困難となる。
【００２８】
条件式（４）の下限の条件が満たされないと、第１レンズ群Ｌ１の焦点距離が相対的に短くなるため、望遠側の球面収差変動や軸上色収差の補正が困難となる。更に好ましくは条件式（４）を次のように設定するのが良い。
４．５＜｜ｆ１／ｆ２｜＜１１．０  ・・・（４ａ）
【００２９】
さらに本発明において、第３レンズ群の正レンズの平均アッベ数をνｄ３ｐとし、負レンズのアッベ数をνｄ３ｎとして、
１０＜νｄ３ｐ−νｄ３ｎ＜５４  ・・・（５）
なる条件式を満足することが好ましい。条件式（５）は第３レンズ群内の材料を適切に設定することで、ズーム中間における軸上色収差及び倍率色収差のズームによる変動を良好に補正することが可能となる。
【００３０】
条件式（５）の上下限の条件が満たされないと、第３レンズ群の色収差補正が十分でなくなることで、ズーム中間の軸上色収差および、倍率色収差の補正が困難となる。更に好ましくは条件式（５）を次のように設定するのが良い。
３５＜νｄ３ｐ−νｄ３ｎ＜５２  ・・・（５ａ）
【００３１】
さらに本発明において、第３レンズ群の最も物体側のレンズの屈折率をＮｄ３ａとして、
１．６＜Ｎｄ３ａ  ・・・（６）
なる条件式を満足することが好ましい。条件式（６）は第３レンズ群Ｌ３の屈折率を規定している。条件式（６）を満足することで、第３レンズ群Ｌ３の物体側主点位置を物体側へ押し出すことが可能となり、高倍率化を達成しながら、ズーム中間の収差を良好に補正することが可能となる。更に好ましくは、条件式（６）を次のように設定するのが良い。
１．６＜Ｎｄ３ａ＜１．７５  ・・・（６ａ）
【００３２】
さらに本発明において、広角端における第２レンズ群Ｌ２と第３レンズ群Ｌ３との間隔をＬ２ｗとし、第３レンズ群と第４レンズ群の間隔をＬ３４ｗとし、前記ズームレンズのズーム比をｚとし、ズーム比ｚ０．２５のズーム位置ｚ１における第３レンズ群と第４レンズ群の間隔をＬ３４ｚ１として、
０．０２＜（Ｌ３４ｚ１−Ｌ３４ｗ）／Ｌ２３ｗ＜０．２  ・・・（７）
なる条件式を満足することが好ましい。条件式（７）はズーム位置ｚ１と広角端の第３レンズ群Ｌ３と第４レンズ群Ｌ４の間隔の差を規定している。これにより、広画角を達成しながら、第１レンズ群Ｌ１の径縮小とズーム操作性を良好にすることが可能となる。
【００３３】
条件式（７）の上限の条件が満たされないと、第３レンズ群Ｌ３と第４レンズ群Ｌ４の移動量が増大することで、良好なズーム操作性を得ることが困難となる。
【００３４】
条件式（７）の下限の条件が満たされないと、第３レンズ群Ｌ３と第４レンズ群Ｌ４のズーム位置ｚ１におけるレンズ間隔が広角端に対して広がらなくなることで、第１レンズ群Ｌ１のレンズ径を縮小することが困難となる。
【００３５】
さらに本発明において、第３レンズ群の焦点距離をｆ３とし、第４レンズ群の焦点距離をｆ４として、
０．８＜ｆ３／ｆ４＜１．７  ・・・（８）
なる条件式を満足することが好ましい。条件式（８）は第３レンズ群Ｌ３の焦点距離と第４レンズ群Ｌ４の焦点距離の比を規定している。これにより、第３レンズＬ３の移動量を小さくすることができ、第３レンズ群の仕事量を小さくすることで、良好なズーム操作性を得ることができる。
【００３６】
条件式（８）の上限の条件が満たされないと、第３レンズ群Ｌ３の移動量が大きくなり、良好なズーム操作性を得るのが困難となる。
【００３７】
条件式（８）の下限の条件が満たされないと、第４レンズ群Ｌ４の移動量が大きくなりすぎ、ズーム部の全長が大きくなり、小型・軽量化が困難となる。更に好ましくは、条件式（８）を次のように設定するのが良い。
１．０＜ｆ３／ｆ４＜１．７  ・・・（８ａ）
【００３８】
さらに、本発明において、第３レンズ群の広角端を基準としたときの、望遠端における光軸上の変位量をｍ３、ズームレンズの最も物体側のレンズ面頂点から最も像側のレンズ面頂点までの距離をＴｄとして、
０．０５＜ｍ３／Ｔｄ＜０．３  ・・・（９）
なる条件式を満足することが好ましい。条件式（９）は第３レンズ群Ｌ３の移動量を規定している。これにより、広画角と高倍率化を達成しながら、良好なズーム操作性を得るのが可能となる。
【００３９】
条件式（９）の上限の条件が満たされないと、第３レンズ群Ｌ３の移動量が大きくなりすぎ、良好なズーム操作性を得るのが困難となる。
【００４０】
条件式（９）の下限の条件が満たされないと、第３レンズ群Ｌ３の移動量が小さくなりすぎ、広画角化を達成しながら、第１レンズ群Ｌ１のレンズ径を縮小することが困難となる。更に好ましくは、条件式（９）を次のように設定するのが良い。
０．１２＜ｍ３／Ｔｄ＜０．２  ・・・（９ａ）
【００４１】
上述したように本発明の説明において、原則としてズーミング中に光学面間の間隔が変化する光学面によってレンズ群の境界を定義するものとする。しかし、さらに本発明において、第２レンズ群については下記の条件式（１０）を満たす場合に限り、物体側から順に第２ａレンズ群、第２ｂレンズ群から構成されるようにしてもよい。このとき、第２ａレンズ群と第２ｂレンズ群それぞれの広角端を基準としたときの望遠端における光軸上の変位量をｍ２ａ、ｍ２ｂとして、
０．９＜ｍ２ａ／ｍ２ｂ＜１．１  ・・・（１０）
なる条件式を満足するものとする。すなわち、第２レンズ群は、一体で構成される単一のレンズ群から構成される場合と、条件式（１０）を満たす２つのレンズ群から構成される場合とを含む。この場合、第２ａレンズ群と第２ｂレンズ群がともに変倍のために移動し、第２ａレンズ群と第２ｂレンズ群の合成屈折力が負である。第２レンズ群を構成している第２ａレンズ群、第２ｂレンズ群の変倍時の移動軌跡を互いに僅かに異なるものとすることで、第２レンズ群を一体で構成した場合に比べて、ズーミング中の性能変動を改善することが可能となる。但し、条件式（１０）の上下限の条件を満足しないと、軸上色収差の補正が困難となるため好ましくない。
【００４２】
以下に本発明の各実施例のズームレンズの構成の特徴について説明する。
【実施例１】
【００４３】
本発明の実施例１のズームレンズは、物体側から像側へ順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。各レンズ断面図において、左方が被写体（物体）側（前方）で右方が像側（後方）を示す。
【００４４】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００４５】
図１に、本発明の実施例１（数値実施例１）のズームレンズの広角端（焦点距離、ｆ＝８．５ｍｍ）で無限遠物体に合焦しているときのレンズ断面図を示す。レンズ断面図においては、第５レンズ群Ｌ５の像側に、物体側から順に、絞り（開口絞り）ＳＰ、ガラスブロックＰとして示された色分解プリズムや光学フィルタ等、撮像面Ｉを示す。Ｐは色分解プリズムや光学フィルタ−等であり、同図ではガラスブロックとして示している。撮像面Ｉは、ズームレンズで形成された像を受光し、光電変換する固体撮像素子（光電変換素子）等の撮像面に相当する。これは他の実施例についても同様である。
【００４６】
実施例１のズームレンズにおいて、第１レンズ群Ｌ１は第１レンズ面〜第１２レンズ面に対応する。第２レンズ群Ｌ２は第１３レンズ面〜第１９レンズ面に対応する。第３レンズ群Ｌ３は第２０レンズ面〜第２５レンズ面に対応する。第４レンズ群Ｌ４は第２６レンズ面〜第３０レンズ面に対応する。
【００４７】
広角端から望遠端への変倍に際して、第２レンズ群Ｌ２が像側へ直線的に移動するとき、第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２８．１３ｍｍ）近傍で収差変動を補正するため一度物体側に移動し、その後非直線的な軌跡を描きながら概ね像側から物体側へ移動する。
【００４８】
後述する数値実施例１に示す５つのズーム位置の中で２番目がズーム位置ｚ１（ｆ＝２８．１３ｍｍ）であり、この焦点距離の近傍にて第１レンズ群Ｌ１のレンズ径を決定している。４番目ズーム位置（ｆ＝３４０ｍｍ）の焦点距離近傍にて第３レンズ群Ｌ３、第４レンズ群Ｌ４のレンズ径を決定している。
【００４９】
第１３レンズ面、第２１レンズ面、第３０レンズ面は非球面形状である。第１３レンズ面は主に広角側の歪曲収差補正、第２１レンズ面と第３０レンズ面は広角側におけるコマ収差等の軸外収差、望遠側における球面収差の補正を行っている。図２は数値実施例１の、広角端（ａ）、ｆ＝２８．５３ｍｍ（ｂ）、ｆ＝１００ｍｍ（ｃ）、ｆ＝３４０ｍｍ（ｄ）、望遠端（ｅ）における無限遠物体に合焦しているときの収差図である。但し、焦点距離は数値実施例の値をｍｍ単位で表したときの値である。これは以下の各実施例において全て同じである。
【００５０】
各収差図において、球面収差における直線と二点鎖線と一点鎖線と点線は各々ｅ線、g線、Ｃ線、Ｆ線である。非点収差における点線と実線は各々メリディオナル像面，サジタル像面であり、倍率色収差における二点鎖線と一点鎖線と点線は各々g線、Ｃ線、Ｆ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００５１】
以下に実施例１に対する数値データを数値実施例１として示す。数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ面と第ｉ＋１面の間の光学部材の屈折率とアッベ数である。非球面は面番号の横に＊印を付けている。最後の３つの面はフィルタ等のガラスブロックである。
【００５２】
非球面形状は光軸方向にＸ軸、光軸と垂直方向にＨ軸、光の進行方向を正とし、Ｒを近軸曲率半径、ｋを円錐常数、Ａ３〜Ａ１６、をそれぞれ非球面係数としたとき、次式で表している。また、「ｅ−Ｚ」は「×１０−Ｚ」を意味する。なお、以下の数値実施例においても同様の記載をする。
【数１】
2019148759.tif 000003
【００５３】
本実施例の各条件式対応値を表１に示す。本実施例は（１）〜（９）式を満足しており、広画角、高倍率でしかも全ズーム範囲にわたり高い光学性能を有し、良好なズーム操作性を持つズームレンズを達成している。本発明のズームレンズは、（１）、（２）式を満足することは必須であるが、（３）〜（９）式については満足していなくても構わない。但し、（３）〜（９）式について少なくとも１つでも満足していれば更に良い効果を奏することができる。これは他の実施例についても同様である。
【００５４】
図１３は各実施例のズームレンズを撮影光学系として用いた撮像装置（テレビカメラシステム）の概略図である。図１３において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群、第３レンズ群、変倍に伴う像面変動を補正するために光軸上を移動する第４レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００５５】
このように、本発明のズームレンズをテレビカメラに適用することにより、高い光学性能を有する撮像装置を実現している。
【実施例２】
【００５６】
本発明の実施例２のズームレンズは、物体側から順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。
【００５７】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００５８】
図３に、本発明の数値実施例２のズームレンズの広角端（焦点距離、ｆ＝８．２ｍｍ）で無限遠物体に合焦しているときのレンズ断面図を示す。実施例２のズームレンズにおいて、第１レンズ群Ｌ１は第１レンズ面〜第１０レンズ面に対応する。第２レンズ群Ｌ２は第１１レンズ面〜第１７レンズ面に対応する。第３レンズ群Ｌ３は第１８レンズ面〜第２３レンズ面に対応する。第４レンズ群Ｌ４は第２４レンズ面〜第２８レンズ面に対応する。
【００５９】
広角端から望遠端への変倍に際して、第２レンズ群Ｌ２が像側へ直線的に移動するとき、第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【００６０】
後述する数値実施例２に示す５つのズーム位置の中で２番目がズーム位置ｚ１（ｆ＝２５．９３ｍｍ）であり、この焦点距離の近傍にて第１レンズ群Ｌ１のレンズ径を決定している。４番目ズーム位置（ｆ＝３４０ｍｍ）の焦点距離近傍にて第３レンズ群Ｌ３、第４レンズ群Ｌ４のレンズ径を決定している。
【００６１】
第１１レンズ面、第１９レンズ面、第２７レンズ面は非球面形状である。第１１レンズ面は主に広角側の歪曲収差補正、第１９レンズ面と第２７レンズ面は広角側におけるコマ収差等の軸外収差、望遠側における球面収差の補正を行っている。図４は数値実施例２の、広角端（ａ）、ｆ＝２５．９３ｍｍ（ｂ）、ｆ＝１００ｍｍ（ｃ）、ｆ＝３４０ｍｍ（ｄ）、望遠端（ｅ）における無限遠物体に合焦しているときの収差図である。
【００６２】
本実施例は（１）〜（９）式を満足しており、広画角、高倍率でしかも全ズーム範囲にわたり高い光学性能を有し、良好なズーム操作性を持つズームレンズを達成している。
【実施例３】
【００６３】
本発明の実施例３のズームレンズは、物体側から順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。
【００６４】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００６５】
図５に、本発明の数値実施例３のズームレンズの広角端（焦点距離、ｆ＝８．４ｍｍ）で無限遠物体に合焦しているときのレンズ断面図を示す。実施例３のズームレンズにおいて、第１レンズ群Ｌ１は第１レンズ面〜第１４レンズ面に対応する。第２レンズ群Ｌ２は第１５レンズ面〜第２１レンズ面に対応する。第３レンズ群Ｌ３は第２２レンズ面〜第２７レンズ面に対応する。第４レンズ群Ｌ４は第２８レンズ面〜第３２レンズ面に対応する。
【００６６】
広角端から望遠端への変倍に際して、第２レンズ群Ｌ２が像側へ直線的に移動するとき、第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２７．２０ｍｍ）近傍で収差変動を補正するため一度物体側に移動し、その後非直線的な軌跡を描きながら概ね像側から物体側へ移動する。
【００６７】
後述する数値実施例３に示す５つのズーム位置の中で２番目がズーム位置ｚ１（ｆ＝２７．２０ｍｍ）であり、この焦点距離の近傍にて第１レンズ群Ｌ１のレンズ径を決定している。４番目ズーム位置（ｆ＝３４０ｍｍ）の焦点距離近傍にて第３レンズ群Ｌ３、第４レンズ群Ｌ４のレンズ径を決定している。
【００６８】
第１５レンズ面、第２３レンズ面、第２８レンズ面は非球面形状である。第１５レンズ面は主に広角側の歪曲収差補正、第２３レンズ面と第２８レンズ面は広角側におけるコマ収差等の軸外収差、望遠側における球面収差の補正を行っている。図６数値実施例３の、広角端（ａ）、ｆ＝２７．２０ｍｍ（ｂ）、ｆ＝１００ｍｍ（ｃ）、ｆ＝３４０ｍｍ（ｄ）、望遠端（ｅ）における無限遠物体に合焦しているときの収差図である。
【００６９】
本実施例は（１）〜（９）式を満足しており、広画角、高倍率でしかも全ズーム範囲にわたり高い光学性能を有し、良好なズーム操作性を持つズームレンズを達成している。
【実施例４】
【００７０】
本発明の実施例４のズームレンズは、物体側から順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。
【００７１】
第１レンズ群Ｌ１は、フォーカスレンズ群Ｌ１２、フォーカスのためには移動しない固定レンズ群Ｌ１１及びＬ１３を含む。フォーカスレンズ群Ｌ１２は、無限遠物体から近距離物体へのフォーカスに際して像側へ移動する。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００７２】
図７に、本発明の数値実施例４のズームレンズの広角端（焦点距離、ｆ＝６．５ｍｍ）で無限遠物体に合焦しているときのレンズ断面図を示す。実施例４のズームレンズにおいて、第１レンズ群Ｌ１は第１レンズ面〜第１７レンズ面に対応する。第２レンズ群Ｌ２は第１８レンズ面〜第２４レンズ面に対応する。第３レンズ群Ｌ３は第２５レンズ面〜第３０レンズ面に対応する。第４レンズ群Ｌ４は第３１レンズ面〜第３５レンズ面に対応する。
【００７３】
広角端から望遠端への変倍に際して、第２レンズ群Ｌ２が像側へ直線的に移動するとき、第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２７．２０ｍｍ）近傍で収差変動を補正するため一度物体側に移動し、その後非直線的な軌跡を描きながら概ね像側から物体側へ移動する。
【００７４】
後述する数値実施例４に示す５つのズーム位置の中で２番目がズーム位置ｚ１（ｆ＝１５．２１ｍｍ）であり、この焦点距離の近傍にて第１レンズ群Ｌ１のレンズ径を決定している。４番目ズーム位置（ｆ＝１２３ｍｍ）の焦点距離近傍にて第３レンズ群Ｌ３、第４レンズ群Ｌ４のレンズ径を決定している。
【００７５】
第１８レンズ面、第２６レンズ面、第３４レンズ面は非球面形状である。第１８レンズ面は主に広角側の歪曲収差補正、第２６レンズ面と第３４レンズ面は広角側におけるコマ収差等の軸外収差、望遠側における球面収差の補正を行っている。図８は数値実施例４の、広角端（ａ）、ｆ＝１５．２１ｍｍ（ｂ）、ｆ＝５０ｍｍ（ｃ）、ｆ＝１２３ｍｍ（ｄ）、望遠端（ｅ）における無限遠物体に合焦しているときの収差図である。
【００７６】
本実施例は（１）〜（９）式を満足しており、広画角、高倍率でしかも全ズーム範囲にわたり高い光学性能を有し、良好なズーム操作性を持つズームレンズを達成している。
【実施例５】
【００７７】
本発明の実施例５のズームレンズは、物体側から順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。
【００７８】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。第２レンズ群Ｌ２はＬ２１群、Ｌ２２群に更に分けられ、広角端から望遠端の変倍に際して間隔を変えることで、ｆ＝３４０ｍｍにおける球面収差を主とした諸収差を良好に補正している。広角端から望遠端のＬ２１群、Ｌ２２群それぞれの移動量ｍ２ａ、ｍ２ｂはｍ２ａ＝１８８．７１ｍｍ、ｍ２ｂ＝１８８．５０ｍｍである。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００７９】
図９に、本発明の数値実施例５のズームレンズの広角端（焦点距離、ｆ＝８．２ｍｍ）で無限遠物体に合焦しているときのレンズ断面図を示す。実施例５のズームレンズにおいて、第１レンズ群Ｌ１は第１レンズ面〜第１０レンズ面に対応する。第２レンズ群Ｌ２は第１１レンズ面〜第１７レンズ面に対応する。第３レンズ群Ｌ３は第１８レンズ面〜第２３レンズ面に対応する。第４レンズ群Ｌ４は第２４レンズ面〜第２８レンズ面に対応する。
【００８０】
広角端から望遠端への変倍に際して、第２レンズ群内のＬ２１とＬ２２はｆ＝３４０ｍｍのズーム位置近傍で間隔が広がるように移動し、望遠端で狭くなるように移動する。第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【００８１】
後述する数値実施例５に示す５つのズーム位置の中で２番目がズーム位置ｚ１（ｆ＝２５．９３ｍｍ）であり、この焦点距離の近傍にて第１レンズ群Ｌ１のレンズ径を決定している。４番目ズーム位置（ｆ＝３４０ｍｍ）の焦点距離近傍にて第３レンズ群Ｌ３、第４レンズ群Ｌ４のレンズ径を決定している。
【００８２】
第１１レンズ面、第１７レンズ面、第１９レンズ面、第２７レンズ面は非球面形状である。第１１レンズ面は主に広角側の歪曲収差補正、第１７レンズ面、第１９レンズ面と第２７レンズ面は広角側におけるコマ収差等の軸外収差、望遠側における球面収差の補正を行っている。図１０数値実施例５の、広角端（ａ）、ｆ＝２５．９３ｍｍ（ｂ）、ｆ＝１００ｍｍ（ｃ）、ｆ＝３４０ｍｍ（ｄ）、望遠端（ｅ）における無限遠物体に合焦しているときの収差図である。
【００８３】
本実施例は（１）〜（１０）式を満足しており、広画角、高倍率でしかも全ズーム範囲にわたり高い光学性能を有し、良好なズーム操作性を持つズームレンズを達成している。
【実施例６】
【００８４】
本発明の実施例６のズームレンズは、物体側から順に、変倍のためには移動しない正の屈折力を有する第１レンズ群Ｌ１、変倍のために移動する負の屈折力を有する第２レンズ群Ｌ２、変倍のために移動する正の屈折力を有する第３レンズ群Ｌ３、変倍のために移動する正の屈折力を有する第４レンズ群Ｌ４、変倍のためには移動しない結像作用を有する正の屈折力を有する第５レンズ群Ｌ５から構成される。
【００８５】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２〜第４レンズ群Ｌ４の各々のレンズ間隔を変化させながら光軸上を移動することで、ズームとズームに伴う像面変動の補正を行っている。これら３つのレンズ群（第２レンズ群Ｌ２〜第４レンズ群Ｌ４）でズーム系（変倍群）を構成している。
【００８６】
図１１に、本発明の数値実施例６のズームレンズの広角端（焦点距離、ｆ＝８．２ｍｍ）で無限遠物体に合焦しているときのレンズ断面図を示す。実施例６のズームレンズにおいて、第１レンズ群Ｌ１は第１レンズ面〜第１０レンズ面に対応する。第２レンズ群Ｌ２は第１１レンズ面〜第１７レンズ面に対応する。第３レンズ群Ｌ３は第１８レンズ面〜第２２レンズ面に対応する。第４レンズ群Ｌ４は第２３レンズ面〜第２７レンズ面に対応する。
【００８７】
広角端から望遠端への変倍に際して、第２レンズ群Ｌ２が像側へ直線的に移動するとき、第３レンズ群Ｌ３と第４レンズ群Ｌ４はズーム中間で非曲線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【００８８】
後述する数値実施例６に示す５つのズーム位置の中で２番目がズーム位置ｚ１（ｆ＝２５．９３ｍｍ）であり、この焦点距離の近傍にて第１レンズ群Ｌ１のレンズ径を決定している。４番目ズーム位置（ｆ＝３４０ｍｍ）の焦点距離近傍にて第３レンズ群Ｌ３、第４レンズ群Ｌ４のレンズ径を決定している。
【００８９】
第１１レンズ面、第１９レンズ面、第２７レンズ面は非球面形状である。第１１レンズ面は主に広角側の歪曲収差補正、第１９レンズ面と第２６レンズ面は広角側におけるコマ収差等の軸外収差、望遠側における球面収差の補正を行っている。図４は数値実施例２の、広角端（ａ）、ｆ＝２５．９３ｍｍ（ｂ）、ｆ＝１００ｍｍ（ｃ）、ｆ＝３４０ｍｍ（ｄ）、望遠端（ｅ）における無限遠物体に合焦しているときの収差図である。
【００９０】
本実施例は（１）〜（９）式を満足しており、広画角、高倍率でしかも全ズーム範囲にわたり高い光学性能を有し、良好なズーム操作性を持つズームレンズを達成している。
【００９１】
以上、本発明の好ましい実施形態について説明したが、本発明はこれらの実施形態に限定されず、その要旨の範囲内で種々の変形及び変更が可能である。
【００９２】
＜数値実施例１＞
単位 mm
面データ
面番号       r        d      nd         vd       
1      -2942.188    6.00   1.83481    42.7      
2        335.459    1.80                        
3        335.066   23.71   1.43387    95.1      
4      -1057.929    0.20                        
5        525.299   14.68   1.43387    95.1      
6      -2449.905   25.25                        
7        377.042   20.53   1.43387    95.1      
8      -1365.497    0.25                        
9        306.954   16.16   1.43387    95.1      
10       1716.232    1.50                        
11        188.244   16.19   1.43875    94.7      
12        408.078  (可変)                        
13*      -532.824    2.20   2.00330    28.3      
14         38.132   11.72                        
15        -44.546    1.45   1.74320    49.3      
16         72.565    9.77   1.89286    20.4      
17        -46.484    1.63                        
18        -41.758    2.00   1.88300    40.8      
19       -152.608  (可変)                        
20        152.336   11.49   1.72916    54.7      
21*      -265.715    6.62                        
22        139.888   13.50   1.43875    94.7      
23       -246.304    0.50                        
24        264.094    2.60   1.85478    24.8      
25         97.106  (可変)                        
26         86.506   15.39   1.49700    81.5      
27       -236.969    0.50                        
28        415.877    2.50   1.80518    25.4      
29        139.362    7.85   1.60311    60.6      
30*      -764.201  (可変)                        
31(絞り)    ∞       5.46                        
32       -100.588    1.40   1.88300    40.8      
33         50.285    1.36                        
34         40.817    3.60   1.92286    18.9      
35         96.042    4.19                        
36        -79.866    1.70   1.80400    46.5      
37       -114.439    7.69                        
38        447.233    1.50   1.80400    46.5      
39         36.261    4.29   1.84666    23.9      
40        154.673    4.71                        
41        -40.896    1.50   1.89190    37.1      
42        100.531    8.12   1.51633    64.1      
43        -29.819   12.96                        
44         95.109    5.83   1.51742    52.4      
45        -65.823    1.40                        
46       -142.700    1.50   1.88300    40.8      
47         37.951    7.64   1.48749    70.2      
48        -86.098    0.20                        
49        111.798    7.63   1.51742    52.4      
50        -35.378    1.50   1.88300    40.8      
51       -107.947    0.20                        
52         90.094    7.67   1.53996    59.5      
53        -53.741   10.00                        
54          ∞      33.00   1.60859    46.4      
55          ∞      13.20   1.51633    64.2      
56          ∞      13.30                        
像面        ∞   
【００９３】
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第21面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第30面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
各種データ
ズーム比    120.00 
焦点距離       8.50    28.13   100.00   340.00  1020.00  
Fナンバー      1.75     1.75     1.75     1.75     5.25  
画角          32.91    11.06     3.15     0.93     0.31  
像高           5.50     5.50     5.50     5.50     5.50  
レンズ全長   677.55   677.55   677.55   677.55   677.55  
BF            13.30    13.30    13.30    13.30    13.30  
d12            3.47    94.70   154.53   185.25   194.08  
d19          289.33   168.20    96.92    55.51     2.00  
d25            4.21    21.63    10.30     4.08     4.50  
d30            2.99    15.46    38.24    55.16    99.42  
d56           13.30    13.30    13.30    13.30    13.30  
入射瞳位置   133.62   390.98  1087.78  3488.85  14063.25  
射出瞳位置   166.67   166.67   166.67   166.67    166.67  
前側主点位置 142.60   424.28  1252.98  4582.56  21866.59  
後側主点位置   4.80   -14.83   -86.70  -326.70  -1006.70  
ズームレンズ群データ
群  始面    焦点距離  レンズ構成長  前側主点位置  後側主点位置
1    1     251.50       126.27        72.69        -19.27
2   13     -24.07        28.78         3.62        -16.98
3   20     134.62        34.71        -5.03        -27.55
4   26     112.37        26.24         4.27        -13.07
5   31      42.11       148.25        58.68         17.53
単レンズデータ
レンズ  始面  焦点距離
1       1   -358.42
2       3    588.08
3       5    995.95
4       7    681.71
5       9    856.44
6      11    776.95
7      13    -35.11
8      15    -36.77
9      16     32.64
10      18    -65.28
11      20    133.77
12      22    205.02
13      24   -179.27
14      26    129.18
15      28   -258.97
16      29    195.31
17      32    -37.58
18      34     73.66
19      36   -334.48
20      38    -48.91
21      39     54.49
22      41    -32.23
23      42     45.34
24      44     75.78
25      46    -33.62
26      47     54.96
27      49     52.64
28      50    -59.83
29      52     63.28
30      54      0.00
31      55      0.00
【００９４】
＜数値実施例２＞
単位 mm
面データ
面番号       r        d      nd         vd      
1       1278.530    5.50   1.83400    37.2     
2        312.679    2.00                       
3        313.847   25.70   1.43387    95.1     
4       -941.282   24.86                       
5        340.139   18.51   1.43387    95.1     
6      -4448.281    0.11                       
7        249.595   19.33   1.43387    95.1     
8       1753.032    1.50                       
9        186.464   15.29   1.43875    94.7     
10        393.411  (可変)                       
11*      -366.661    2.20   2.00330    28.3     
12         36.018   13.67                       
13        -37.676    1.45   1.74951    35.3     
14         85.698   10.52   1.92286    18.9     
15        -45.768    1.48                       
16        -38.854    2.00   1.91650    31.6     
17        -69.497  (可変)                       
18        115.664   10.68   1.72916    54.7     
19*      -794.336    9.75                       
20        215.319   10.55   1.49700    81.5     
21       -220.582    0.20                       
22        196.798    2.60   1.85478    24.8     
23         83.688  (可変)                       
24         89.063   14.74   1.43875    94.7     
25       -193.667    2.50   1.85478    24.8     
26       -330.671    2.15                       
27*      -539.234    5.45   1.60311    60.6     
28       -164.580  (可変)                       
29(絞り)    ∞       5.19                       
30       -121.299    1.40   1.83481    42.7     
31         62.904    0.50                       
32         39.779    5.02   1.80810    22.8     
33      -2286.796    3.41                       
34        -62.539    1.40   1.88300    40.8     
35       -101.022    4.66                       
36       -247.264    1.50   1.83481    42.7     
37         54.704    2.39   1.72825    28.5     
38         69.615    4.73                       
39        -53.326    1.50   1.91650    31.6     
40        -72.915    4.44   1.51742    52.4     
41        -30.226    5.64                       
42        -52.233    2.06   1.63980    34.5     
43        -55.982    1.70                       
44        504.705    1.50   1.88300    40.8     
45         38.378    6.08   1.43875    94.7     
46       -110.391    0.20                       
47         58.919    7.58   1.51633    64.1     
48        -31.931    1.50   1.91650    31.6     
49        -85.507    0.20                       
50         89.707    5.31   1.58144    40.8     
51        -60.795    5.00                       
52          ∞      33.00   1.60859    46.4     
53          ∞      13.20   1.51633    64.2     
54          ∞      13.29                       
像面        ∞   
【００９５】
非球面データ
第11面
K = 0.00000e+000  A 4= 2.14525e-006  A 6=-1.14922e-009  A 8= 3.37674e-012  A10=-1.44191e-014  A12= 3.48099e-017  A14=-4.20399e-020  A16= 2.02538e-023  
第19面
K = 0.00000e+000  A 4= 2.46871e-007  A 6= 1.21262e-011  A 8=-4.96845e-014  A10= 7.45438e-017  A12=-5.84560e-020  A14= 2.36171e-023  A16=-3.88796e-027  
第27面
K = 0.00000e+000  A 4=-2.42211e-007  A 6= 5.25725e-011  A 8=-2.73066e-013  A10= 7.22228e-016  A12=-1.94127e-018  A14=-8.12554e-022  A16= 9.82588e-026  
A13= 7.16625e-020  A15=-3.67644e-024  
各種データ
ズーム比    100.00 
焦点距離       8.20    25.93   100.00   340.00   820.00  
Fナンバー      1.80     1.80     1.80     1.80     4.30  
画角          33.85    11.98     3.15     0.93     0.38  
像高           5.50     5.50     5.50     5.50     5.50  
レンズ全長   652.41   652.41   652.41   652.41   652.41  
BF            13.29    13.29    13.29    13.29    13.29  
d10            3.56    87.57   154.05   179.70   188.50  
d17          307.07   181.12   105.65    51.08     2.00  
d23            3.67    30.47    12.94    11.00    18.86  
d28            2.97    18.11    44.62    75.50   107.91  
d54           13.29    13.29    13.29    13.29    13.29  
入射瞳位置    129.20    367.69   1199.80   3676.66  11744.83  
射出瞳位置  -1371.45  -1371.45  -1371.45  -1371.45  -1371.45  
前側主点位置  137.35    393.14   1292.58   3933.18  12079.26  
後側主点位置    5.09    -12.64    -86.71   -326.71   -806.71  
ズームレンズ群データ
群  始面    焦点距離  レンズ構成長  前側主点位置  後側主点位置
1    1     250.55       112.79        61.11        -23.71
2   11     -26.23        31.32         1.62        -23.00
3   18     154.35        33.78        -8.20        -30.49
4   24     130.44        24.85         7.26        -10.49
5   29      63.58       119.12        60.77          5.04
単レンズデータ
レンズ  始面  焦点距離
1       1   -494.42
2       3    544.51
3       5    727.30
4       7    666.50
5       9    788.10
6      11    -32.33
7      13    -34.51
8      14     33.22
9      16    -98.52
10      18    138.55
11      20    220.37
12      22   -170.56
13      24    140.94
14      25   -546.31
15      27    389.09
16      30    -49.17
17      32     47.94
18      34   -188.06
19      36    -53.24
20      37    325.69
21      39   -223.17
22      40     95.92
23      42  -1543.68
24      44    -46.84
25      45     65.56
26      47     41.13
27      48    -55.94
28      50     62.78
29      52      0.00
30      53      0.00
【００９６】
＜数値実施例３＞
単位 mm
面データ
面番号       r        d      nd         vd      
1      -3617.003    6.00   1.77250    49.6      
2        378.684    2.23                       
3        405.889   22.86   1.43387    95.1      
4      -1282.316    0.20                       
5       1317.930    6.00   1.83400    37.2     
6        558.265    1.50                        
7        429.895   23.76   1.43387    95.1     
8       -827.583   25.35                        
9        409.548   21.66   1.43387    95.1      
10      -1037.829    0.25                        
11        259.781   19.02   1.43387    95.1      
12       1228.124    1.50                        
13        185.727   15.44   1.43875    94.7      
14        350.267  (可変)                        
15*      -172.526    2.20   1.95375    32.3      
16         42.749   10.10                        
17        -52.460    1.45   1.81600    46.6      
18         55.395   12.02   1.80810    22.8      
19        -37.896    0.80                        
20        -35.733    1.80   1.88300    40.8      
21       -113.585  (可変)                        
22        138.920   11.86   1.60311    60.6      
23*      -241.742    0.50                        
24        281.206   11.66   1.53775    74.7      
25       -152.264    0.20                        
26       -394.240    2.70   1.91650    31.6      
27        239.547  (可変)                       
28*       156.554   10.38   1.69680    55.5     
29       -286.500    0.20                       
30        132.269    2.70   1.85478    24.8     
31         72.022   14.34   1.49700    81.5     
32       -387.487  (可変)                       
33(絞り)    ∞       5.31                       
34       -129.921    1.40   1.81600    46.6     
35         49.359    1.16                       
36         39.074    6.11   1.80810    22.8     
37       -474.832    4.10                       
38        -62.431    1.40   1.88300    40.8     
39        289.603    8.80                       
40       -865.664    1.50   1.72916    54.7     
41         65.387    4.28                       
42        195.085    3.25   1.63980    34.5     
43      -1211.100    5.64                       
44       -178.966    6.09   1.54814    45.8     
45        -37.844    1.70                       
46       -156.436    1.50   1.88300    40.8     
47         37.026    9.28   1.48749    70.2     
48        -56.506    0.20                       
49        186.143    7.58   1.49700    81.5     
50        -33.563    1.50   1.91082    35.3     
51        -82.365    0.20                       
52         87.446    7.84   1.51742    52.4     
53        -47.375   10.00                       
54          ∞      33.00   1.60859    46.4     
55          ∞      13.20   1.51633    64.2     
56          ∞      13.27                       
像面        ∞   
【００９７】
非球面データ
第15面
K = 0.00000e+000  A 4= 2.13050e-006  A 6=-1.07468e-009  A 8= 3.52332e-012  A10=-1.62648e-014  A12= 4.41300e-017  A14=-6.12921e-020  A16= 3.38323e-023  
第23面
K = 0.00000e+000  A 4= 2.65731e-007  A 6= 8.73889e-013  A 8= 9.53629e-016  A10= 1.79718e-018  A12=-6.22792e-022  
第28面
K = 0.00000e+000  A 4=-1.43773e-007  A 6=-4.20671e-012  A 8=-7.49249e-015  A10= 6.99021e-018  A12=-1.75185e-021  
各種データ
ズーム比    110.00 
焦点距離       8.40    27.20   100.00   340.00   924.00  
Fナンバー      1.70     1.70     1.70     1.70     4.62  
画角          33.22    11.43     3.15     0.93     0.34  
像高           5.50     5.50     5.50     5.50     5.50  
レンズ全長   680.00   680.00   680.00   680.00   680.00  
BF            13.27    13.27    13.27    13.27    13.27  
d14            4.24    93.54   159.76   190.32   198.19  
d21          286.32   162.28    95.64    54.37     2.00  
d27            9.46    30.22    10.08     6.04    11.39  
d32            3.00    16.97    37.55    52.28    91.43  
d56           13.27    13.27    13.27    13.27    13.27  
入射瞳位置   145.30   386.17  1132.81  3519.68  11516.47  
射出瞳位置   350.82   350.82   350.82   350.82    350.82  
前側主点位置 153.91   415.56  1262.43  4202.15  14969.82  
後側主点位置   4.87   -13.93   -86.73  -326.73   -910.73  
ズームレンズ群データ
群  始面    焦点距離  レンズ構成長  前側主点位置  後側主点位置
1    1     254.46       145.77        85.59        -18.30
2   15     -24.52        28.37         2.80        -17.46
3   22     158.38        26.92        -2.05        -18.52
4   28     105.42        27.62         4.13        -13.47
5   33      52.94       135.03        62.91         16.82
単レンズデータ
レンズ  始面  焦点距離
1       1   -441.34
2       3    711.73
3       5  -1158.11
4       7    654.21
5       9    678.23
6      11    752.99
7      13    873.81
8      15    -35.48
9      17    -32.65
10      18     29.26
11      20    -59.34
12      22    147.44
13      24    184.85
14      26   -161.05
15      28    146.08
16      30   -187.13
17      31    123.12
18      34    -43.46
19      36     44.46
20      38    -57.72
21      40    -82.96
22      42    261.06
23      44     85.79
24      46    -33.59
25      47     47.27
26      49     57.71
27      50    -62.70
28      52     60.32
29      54      0.00
30      55      0.00
【００９８】
＜数値実施例４＞
単位 mm
面データ
面番号       r        d      nd         vd     
1        529.653    4.70   1.77250    49.6    
2        142.745   36.35                      
3       -333.913    4.50   1.77250    49.6    
4        470.743    0.15                      
5        282.674   10.98   1.71736    29.5    
6        739.309    5.96                      
7       2578.600   15.90   1.49700    81.5    
8       -286.756    0.20                      
9       1350.985    4.40   1.80518    25.4    
10        227.973   19.77   1.49700    81.5    
11       -471.292   34.00                      
12        596.741   12.89   1.49700    81.5    
13       -427.165    0.15                      
14        350.787   15.65   1.49700    81.5    
15       -444.936    0.15                      
16        252.133   12.09   1.62041    60.3    
17       5732.489  (可変)                      
18*      -138.580    1.50   1.77250    49.6    
19        124.082    5.64                      
20      -6027.878    1.50   1.89190    37.1    
21         84.159   10.92   1.92286    18.9    
22       -144.773    6.11                      
23        -60.663    1.50   1.81600    46.6    
24         91.640  (可変)                      
25         95.402    5.31   1.69680    55.5    
26*       364.901    3.00                      
27        138.538    9.66   1.43875    94.7    
28       -132.778    0.20                      
29        149.290    2.00   1.84666    23.8    
30         90.250  (可変)                      
31      83324.551    2.00   1.85478    24.8   
32         93.582   11.98   1.48749    70.2      
33       -261.931    0.15                        
34*        57.024   12.55   1.62041    60.3      
35       -128.392  (可変)                        
36(絞り)    ∞       2.98                        
37       -270.311    1.40   1.78800    47.4      
38         17.849   10.14   1.84666    23.8      
39       -186.644    1.40   1.78800    47.4      
40         43.120    5.93                        
41        -31.688    5.03   1.77250    49.6      
42         67.022    8.40                        
43         86.298    8.27   1.53775    74.7      
44        -38.699    0.20                        
45       -231.336    1.50   2.00100    29.1      
46         50.604    9.39   1.49700    81.5      
47        -44.994    0.20                        
48        127.198    7.32   1.49700    81.5      
49        -50.000    1.50   2.00100    29.1      
50        -77.032    0.20                        
51         73.468    6.55   1.64000    60.1      
52       -101.170    8.00                        
53          ∞      33.00   1.60859    46.4      
54          ∞      13.20   1.51633    64.2      
55          ∞      10.00                        
像面        ∞   
【００９９】
非球面データ
第18面
K = 0.00000e+000  A 4= 1.67476e-006  A 6=-1.79729e-010  A 8= 3.27393e-015  
第26面
K = 0.00000e+000  A 4= 3.97428e-007  A 6= 7.82036e-011  A 8=-1.44733e-014  
第34面
K = 0.00000e+000  A 4=-1.02916e-006  A 6=-1.66514e-010  A 8=-2.92848e-014  
各種データ
ズーム比     30.00 
焦点距離       6.50    15.21    50.00   123.00   195.00  
Fナンバー      1.49     1.50     1.50     1.50     2.20  
画角          40.24    19.88     6.28     2.56     1.62  
像高           5.50     5.50     5.50     5.50     5.50  
レンズ全長   625.00   625.00   625.00   625.00   625.00  
BF            10.00    10.00    10.00    10.00    10.00  
d17            5.00    48.07   114.24   145.96   156.30  
d24          225.24   136.32    60.83    26.30     2.09  
d30            5.81    46.21    39.46    36.12    49.40  
d35            2.50     7.94    24.01    30.15    30.76  
d55           10.00    10.00    10.00    10.00    10.00  
入射瞳位置   115.81   160.23   354.27   792.60  1357.46  
射出瞳位置   146.13   146.13   146.13   146.13   146.13  
前側主点位置 122.62   177.14   422.63  1026.74  1831.79  
後側主点位置   3.50    -5.21   -40.00  -113.00  -185.00  
ズームレンズ群データ
群  始面    焦点距離  レンズ構成長  前側主点位置  後側主点位置
1    1     148.73       177.83       135.95         68.90
2   18     -32.61        27.17        11.28         -6.15
3   25     120.51        20.17        -0.20        -14.06
4   31      72.12        26.68        13.90         -2.79
5   36      34.60       124.60        46.37          9.86
単レンズデータ
レンズ  始面  焦点距離
1       1   -253.09
2       3   -251.05
3       5    626.59
4       7    518.67
5       9   -338.07
6      10    311.18
7      12    501.56
8      14    396.10
9      16    423.06
10      18    -84.13
11      20    -92.46
12      21     58.31
13      23    -44.31
14      25    183.11
15      27    155.83
16      29   -271.13
17      31   -108.33
18      32    142.53
19      34     65.09
20      37    -21.10
21      38     19.50
22      39    -44.11
23      41    -27.12
24      43     50.70
25      45    -41.04
26      46     49.40
27      48     73.01
28      49   -145.24
29      51     67.22
30      53      0.00
31      54      0.00
【０１００】
＜数値実施例５＞
単位 mm
面データ
面番号       r        d      nd         vd      
1       8902.108    5.50   1.83481    42.7     
2        293.031    2.00                       
3        299.654   31.11   1.43387    95.1     
4       -514.323   24.93                      
5        303.463   19.33   1.43387    95.1    
6       6129.826    0.11                      
7        247.810   24.00   1.43387    95.1    
8      -7103.045    1.50                      
9        181.463   14.73   1.43875    94.7    
10        337.177  (可変)                      
11*      -189.283    2.20   2.00330    28.3    
12         37.392   11.68                      
13        -43.412    1.45   1.80000    29.8    
14         53.807   13.14   1.89286    20.4    
15        -37.787  (可変)                      
16        -33.150    2.00   1.81600    46.6    
17*       -95.423  (可変)                      
18        138.006   10.59   1.72916    54.7    
19*      -541.134    9.75                      
20        147.036   14.32   1.49700    81.5    
21       -160.091    1.73                      
22        173.675    2.60   1.85478    24.8    
23         80.581  (可変)                      
24         79.073   13.02   1.43875    94.7    
25       -620.461    2.50   1.85478    24.8    
26        399.958    2.39                      
27*       249.933    8.86   1.60311    60.6    
28       -170.411  (可変)                      
29(絞り)    ∞       3.71                      
30        449.878    1.40   1.83481    42.7    
31         27.895    1.61                      
32         28.611    4.45   1.80810    22.8    
33         97.758    3.91                      
34        -69.884    1.40   1.88300    40.8    
35       -746.850    6.60                      
36        -54.726    1.50   1.83481    42.7    
37         35.393    5.14   1.72825    28.5    
38      -2426.736    0.20                      
39         45.076    2.50   2.00100    29.1    
40         33.751   10.15   1.51742    52.4      
41        -79.544   12.06                        
42        203.499    4.46   1.54814    45.8      
43        -71.346    1.70                        
44       -180.657    1.50   1.88300    40.8      
45         41.688    7.00   1.43875    94.7      
46        -62.169    0.20                        
47        109.040    6.46   1.51633    64.1      
48        -38.028    1.50   1.91650    31.6      
49        -95.371    0.20                        
50         93.456    5.02   1.58144    40.8      
51        -76.830    6.15                        
52          ∞      33.00   1.60859    46.4      
53          ∞      13.20   1.51633    64.2      
54          ∞      13.30                        
像面        ∞   
【０１０１】
非球面データ
第11面
K = 0.00000e+000  A 4= 2.28615e-006  A 6=-1.38289e-009  A 8= 7.22628e-012  A10=-4.35752e-014  A12= 1.34169e-016  A14=-1.96183e-019  A16= 1.10092e-022  
第17面
K = 0.00000e+000  A 4=-1.76959e-007  A 6=-1.58573e-010  A 8= 2.80712e-013  A10=-2.98755e-017  A12=-3.73787e-018  A14= 9.74883e-021  A16=-7.35536e-024  
第19面
K = 0.00000e+000  A 4= 2.97276e-007  A 6= 2.55441e-012  A 8=-7.60558e-015  A10= 3.19715e-017  A12=-3.61423e-020  A14= 1.79078e-023  A16=-3.33963e-027  
第27面
K = 0.00000e+000  A 4=-3.10347e-007  A 6= 2.06311e-011  A 8=-2.66872e-013  A10= 9.66509e-016  A12=-3.30933e-018  A14=-2.42884e-021  A16= 2.13705e-026  
A13= 1.43782e-019  A15= 1.37717e-023  
各種データ
ズーム比    100.00 
焦点距離       8.20    25.93   100.00   340.00   820.00  
Fナンバー      1.80     1.80     1.80     1.80     4.30  
画角          33.85    11.98     3.15     0.93     0.38  
像高           5.50     5.50     5.50     5.50     5.50  
レンズ全長   668.32   668.32   668.32   668.32   668.32  
BF            13.30    13.30    13.30    13.30    13.30  
d10            4.14    96.85   158.05   184.66   192.85  
d15            1.71     1.49     4.89     3.13     1.49  
d17          287.83   173.30    93.94    46.23     3.22  
d23            3.91    14.77     6.06     5.93    10.25  
d28            2.99    14.17    37.63    60.63    92.77  
d54           13.30    13.30    13.30    13.30    13.30  
入射瞳位置   129.39   391.90  1177.73  3592.39  10887.10  
射出瞳位置   309.41   309.41   309.41   309.41    309.41  
前側主点位置 137.82   420.10  1311.50  4322.78  13977.89  
後側主点位置   5.10   -12.63   -86.70  -326.70   -806.70  
ズームレンズ群データ
群  始面    焦点距離  レンズ構成長  前側主点位置  後側主点位置
1    1     248.63       123.21        70.92        -18.50
21  11     -81.40        28.47       -24.10        -66.55
22  16     -62.84         2.00        -0.59         -1.71
2   11     -24.14        32.17         1.90        -21.78
3   18     126.42        38.99        -2.87        -29.45
4   24     119.42        26.76         8.09        -11.00
5   29      47.94       135.02        57.30         15.99
単レンズデータ
レンズ  始面  焦点距離
1       1   -361.06
2       3    440.41
3       5    733.28
4       7    551.07
5       9    868.22
6      11    -30.71
7      13    -29.60
8      14     26.37
9      16    -62.84
10      18    151.15
11      20    156.18
12      22   -176.50
13      24    160.36
14      25   -281.51
15      27    168.69
16      30    -35.48
17      32     48.15
18      34    -86.89
19      36    -25.41
20      37     47.55
21      39   -149.71
22      40     47.03
23      42     96.43
24      44    -38.02
25      45     57.93
26      47     55.23
27      48    -69.37
28      50     72.89
29      52      0.00
30      53      0.00
【０１０２】
＜数値実施例６＞
単位 mm
面データ
面番号       r        d      nd         vd      
1       2550.574    5.50   1.83400    37.2     
2        358.822    2.00                       
3        360.578   25.13   1.43387    95.1     
4       -698.943   26.64                       
5        362.553   18.28   1.43387    95.1     
6      -2879.955    0.11                       
7        255.750   18.62   1.43387    95.1     
8       1545.538    1.50                       
9        187.634   14.84   1.43875    94.7     
10        376.362  (可変)                       
11*      -477.702    2.20   2.00330    28.3     
12         35.584   13.01                       
13        -40.423    1.45   1.74951    35.3     
14         68.714   10.75   1.92286    18.9     
15        -46.340    1.37                       
16        -39.496    2.00   1.91650    31.6     
17        -82.618  (可変)                       
18        120.906   15.70   1.72916    54.7     
19*      -160.885    9.75                       
20         89.745   10.47   1.49700    81.5     
21        558.194    2.60   2.00330    28.3     
22         88.968  (可変)                       
23         99.262   13.16   1.43875    94.7     
24       -153.613    2.50   1.85478    24.8     
25       -254.493    0.19                       
26*      3077.637    6.12   1.60311    60.6     
27       -180.143  (可変)                       
28(絞り)    ∞       5.23                       
29        -97.640    1.40   1.83481    42.7     
30         56.154    0.50                       
31         33.774    4.31   1.80810    22.8     
32        201.710    3.59                       
33        -60.627    1.40   1.88300    40.8     
34       -362.320    4.66                       
35        104.766    1.50   1.83481    42.7     
36         28.532    3.60   1.72825    28.5     
37         57.274    4.85                       
38        -44.510    1.50   1.91650    31.6     
39        103.238    7.66   1.51742    52.4       
40        -24.689   16.00                         
41         96.227    6.13   1.63980    34.5       
42        -45.494    1.70                         
43        -62.145    1.50   1.88300    40.8       
44         45.533    8.55   1.43875    94.7       
45        -88.057    0.20                         
46         49.743    7.25   1.51633    64.1       
47        -42.988    1.50   1.91650    31.6       
48       -135.755    0.20                         
49         66.978    4.58   1.58144    40.8       
50       -168.876    5.00                         
51          ∞      33.00   1.60859    46.4       
52          ∞      13.20   1.51633    64.2       
53          ∞      13.30                         
像面        ∞   
【０１０３】
非球面データ
第11面
K = 0.00000e+000  A 4= 1.83609e-006  A 6=-6.30361e-010  A 8= 7.63784e-013  A10=-3.16575e-015  A12= 7.59157e-018  A14=-8.97741e-021  A16= 4.31396e-024  
第19面
K = 0.00000e+000  A 4= 2.64274e-007  A 6= 7.55668e-012  A 8=-5.87841e-014  A10= 8.61821e-017  A12=-6.64826e-020  A14= 2.64407e-023  A16=-4.26116e-027  
第26面
K = 0.00000e+000  A 4=-2.26585e-007  A 6= 2.05948e-012  A 8=-2.29236e-013  A10= 6.05997e-016  A12=-1.55559e-018  A14=-6.46245e-022  A16= 6.11257e-026  
A13= 5.62796e-020  A15=-1.84042e-024  
各種データ
ズーム比    100.00 
焦点距離       8.20    25.93   100.00   340.00   820.00  
Fナンバー      1.80     1.80     1.80     1.80     4.30  
画角          33.85    11.98     3.15     0.93     0.38  
像高           5.50     5.50     5.50     5.50     5.50  
レンズ全長   672.30   672.30   672.30   672.30   672.30  
BF            13.30    13.30    13.30    13.30    13.30  
d10            3.49    91.43   162.49   189.91   198.89  
d17          305.18   181.01   106.00    54.67     8.00  
d22            4.47    28.13     7.46     5.83    14.07  
d27            2.96    15.53    40.15    65.69    95.14  
d53           13.30    13.30    13.30    13.30    13.30  
入射瞳位置   127.61   367.77  1225.31  3813.40  12111.84  
射出瞳位置   158.03   158.03   158.03   158.03    158.03  
前側主点位置 136.28   398.35  1394.40  4952.13  17577.74  
後側主点位置   5.10   -12.63   -86.70  -326.70   -806.70  
ズームレンズ群データ
群  始面    焦点距離  レンズ構成長  前側主点位置  後側主点位置
1    1     259.86       112.62        62.72        -22.06
2   11     -25.83        30.78         2.04        -21.38
3   18     132.36        38.52       -16.38        -37.24
4   23     119.49        21.98         7.32         -7.62
5   28      41.07       139.00        57.02         11.19
単レンズデータ
レンズ  始面  焦点距離
1       1   -498.07
2       3    550.83
3       5    741.60
4       7    701.51
5       9    830.73
6      11    -32.66
7      13    -33.54
8      14     31.02
9      16    -83.82
10      18     96.53
11      20    212.96
12      21   -104.91
13      23    139.30
14      24   -454.31
15      26    281.27
16      29    -42.29
17      31     49.12
18      33    -82.16
19      35    -47.13
20      36     73.53
21      38    -33.52
22      39     39.14
23      41     48.78
24      43    -29.40
25      44     69.59
26      46     45.71
27      47    -68.66
28      49     82.60
29      51      0.00
30      52      0.00
【０１０４】
【表１】
2019148759.tif 000004
【符号の説明】
【０１０５】
Ｌ１      第１レンズ群
Ｌ２      第２レンズ群
Ｌ３      第３レンズ群
Ｌ４      第４レンズ群
Ｌ５      第５レンズ群
ＳＰ      開口絞り
Ｉ        像面
【図１】
2019148759.tif 000005
【図２】
2019148759.tif 000006
【図３】
2019148759.tif 000007
【図４】
2019148759.tif 000008
【図５】
2019148759.tif 000009
【図６】
2019148759.tif 000010
【図７】
2019148759.tif 000011
【図８】
2019148759.tif 000012
【図９】
2019148759.tif 000013
【図１０】
2019148759.tif 000014
【図１１】
2019148759.tif 000015
【図１２】
2019148759.tif 000016
【図１３】
2019148759.tif 000017
【図１４】
2019148759.tif 000018
【図１５】
2019148759.tif 000019
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない正の屈折力を有する第１レンズ群と、変倍のために移動する負の屈折力を有する第２レンズ群と、変倍のために移動する正の屈折力を有する第３レンズ群と、変倍のために移動する正の屈折力を有する第４レンズ群と、変倍のためには移動しない正の屈折力を有する第５レンズ群とから構成されるズームレンズであって、
前記第１レンズ群、前記第２レンズ群、前記第３レンズ群、前記第４レンズ群、および前記第５レンズ群のうちいずれの隣接する２つのレンズ群の間隔も変倍のために変化するように構成され、
前記第３レンズ群は、物体側から像側へ順に、正レンズ、正レンズ、負レンズの３枚のレンズで構成され、広角端での焦点距離をｆｗとし、望遠端での焦点距離をｆｔとし、前記第２レンズ群の広角端での横倍率をβ２ｗとし、前記第２レンズ群の望遠端での横倍率をβ２ｔとし、前記第３レンズ群の焦点距離をｆ３とし、前記第３レンズ群の前記負レンズの焦点距離をｆ３ｎとし、前記第３レンズ群の前記正レンズの平均アッベ数をνｄ３ｐとし、前記第３レンズ群の前記負レンズのアッベ数をνｄ３ｎとして、
２．１＜（ｆｔ／ｆｗ）／（β２ｔ／β２ｗ）＜１０
−０．７＜ｆ３ｎ／ｆ３＜−２．３
１０＜νｄ３ｐ−νｄ３ｎ＜５４
なる条件式を満足することを特徴とするズームレンズ。
【請求項２】
前記第１レンズ群の焦点距離をｆ１とし、前記第２レンズ群の焦点距離をｆ２として、
１．２＜｜ｆｔ／ｆ１｜＜５．０
３．０＜｜ｆ１／ｆ２｜＜１５．０
なる条件式を満足する事を特徴とする請求項１に記載のズームレンズ。
【請求項３】
前記第３レンズ群の最も物体側のレンズの屈折率をＮｄ３ａとして、
１．６＜Ｎｄ３ａ
なる条件式を満足することを特徴とする請求項１または請求項２に記載のズームレンズ。
【請求項４】
広角端における前記第２レンズ群と前記第３レンズ群との間隔をＬ２３ｗとし、広角端における前記第３レンズ群と前記第４レンズ群との間隔をＬ３４ｗとし、前記ズームレンズのズーム比をｚとした場合にｆｗ×ｚ０．２５となる焦点距離での前記第３レンズ群と前記第４レンズ群との間隔をＬ３４ｚ１として、
０．０２＜（Ｌ３４ｚ１−Ｌ３４ｗ）／Ｌ２３ｗ＜０．２
なる条件式を満足することを特徴とする請求項１ないし請求項３のうちいずれか１項に記載のズームレンズ。
【請求項５】
前記第４レンズ群の焦点距離をｆ４として、
０．８＜ｆ３／ｆ４＜１．７
なる条件式を満足することを特徴とする請求項１ないし請求項４のうちいずれか１項に記載のズームレンズ。
【請求項６】
前記第３レンズ群は広角端から望遠端への変倍のために物体側へ移動し、広角端から望遠端への前記第３レンズ群の移動量をｍ３とし、前記第１レンズ群の最も物体側のレンズ面の頂点から前記第５レンズ群の最も像側のレンズ面の頂点までの距離をＴｄとして、
０．０５＜ｍ３／Ｔｄ＜０．３
なる条件式を満足することを特徴とする請求項１ないし請求項５のうちいずれか１項に記載のズームレンズ。
【請求項７】
前記第２レンズ群は、物体側から像側へ順に、第２ａレンズ群と、第２ｂレンズ群とから構成され、広角端から望遠端への前記第２ａレンズ群の移動量および広角端から望遠端への前記第２ｂレンズ群の移動量をそれぞれｍ２ａおよびｍ２ｂとして、
０．９＜ｍ２ａ／ｍ２ｂ＜１．１
なる条件式を満足することを特徴とする請求項１ないし請求項６のうちいずれか１項に記載のズームレンズ。
【請求項８】
請求項１ないし請求項７のうちいずれか１項に記載のズームレンズと、
前記ズームレンズによって形成された像を受ける撮像素子と、
を有することを特徴とする撮像装置。
【手続補正２】
【補正対象書類名】明細書
【補正対象項目名】０００７
【補正方法】変更
【補正の内容】
【０００７】
上記目的を達成するために、本発明のズームレンズは、物体側から像側へ順に、変倍のためには移動しない正の屈折力を有する第１レンズ群と、変倍のために移動する負の屈折力を有する第２レンズ群と、変倍のために移動する正の屈折力を有する第３レンズ群と、変倍のために移動する正の屈折力を有する第４レンズ群と、変倍のためには移動しない正の屈折力を有する第５レンズ群とから構成されるズームレンズであって、前記第１レンズ群、前記第２レンズ群、前記第３レンズ群、前記第４レンズ群、および前記第５レンズ群のうちいずれの隣接する２つのレンズ群の間隔も変倍のために変化するように構成され、前記第３レンズ群は、物体側から像側へ順に、正レンズ、正レンズ、負レンズの３枚のレンズで構成され、広角端での焦点距離をｆｗとし、望遠端での焦点距離をｆｔとし、前記第２レンズ群の広角端での横倍率をβ２ｗとし、前記第２レンズ群の望遠端での横倍率をβ２ｔとし、前記第３レンズ群の焦点距離をｆ３とし、前記第３レンズ群の前記負レンズの焦点距離をｆ３ｎとし、前記第３レンズ群の前記正レンズの平均アッベ数をνｄ３ｐとし、前記第３レンズ群の前記負レンズのアッベ数をνｄ３ｎとして、
２．１＜（ｆｔ／ｆｗ）／（β２ｔ／β２ｗ）＜１０
−０．７＜ｆ３ｎ／ｆ３＜−２．３
１０＜νｄ３ｐ−νｄ３ｎ＜５４
なる条件式を満足することを特徴とする
【手続補正３】
【補正対象書類名】明細書
【補正対象項目名】０００９
【補正方法】変更
【補正の内容】
【０００９】
【図１】数値実施例１の広角端において無限遠合焦時のレンズ断面図
【図２】数値実施例１の広角端（ａ）、ｆ＝２８．１ｍｍ（ｂ）、ｆ＝１００ｍｍ（ｃ）、ｆ＝３４０ｍｍ（ｄ）、望遠端（ｅ）で無限遠合焦時の縦収差図
【図３】数値実施例２の広角端において無限遠合焦時のレンズ断面図
【図４】数値実施例２の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図５】数値実施例３の広角端において無限遠合焦時のレンズ断面図
【図６】数値実施例３の広角端（ａ）、ｆ＝２７．２ｍｍ（ｂ）、ｆ＝１００ｍｍ（ｃ）、ｆ＝３４０ｍｍ（ｄ）、望遠端（ｅ）で無限遠合焦時の縦収差図
【図７】数値実施例４の広角端において無限遠合焦時のレンズ断面図
【図８】数値実施例４の広角端（ａ）、ｆ＝１５．２ｍｍ（ｂ）、ｆ＝５０ｍｍ（ｃ）、ｆ＝１２３ｍｍ（ｄ）、望遠端（ｅ）で無限遠合焦時の縦収差図
【図９】数値実施例５の広角端において無限遠合焦時のレンズ断面図
【図１０】数値実施例５の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図１１】数値実施例６の広角端において無限遠合焦時のレンズ断面図
【図１２】数値実施例６の広角端（ａ）、ｆ＝２５．９ｍｍ（ｂ）、ｆ＝１００ｍｍ（ｃ）、ｆ＝３４０ｍｍ（ｄ）、望遠端（ｅ）で無限遠合焦時の縦収差図
【図１３】本発明の撮像装置の要部概略図
【図１４】数値実施例１の近軸屈折力配置概略図
【図１５】数値実施例１の広角端（ａ）、ｆ＝３４０ｍｍ（ｂ）、望遠端（ｃ）で無限遠合焦時の光路図
【手続補正４】
【補正対象書類名】明細書
【補正対象項目名】００４７
【補正方法】変更
【補正の内容】
【００４７】
広角端から望遠端への変倍に際して、第２レンズ群Ｌ２が像側へ直線的に移動するとき、第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２８．１３ｍｍ）近傍で収差変動を補正するため一度物体側に移動し、その後非直線的な軌跡を描きながら概ね像側から物体側へ移動する。
【手続補正５】
【補正対象書類名】明細書
【補正対象項目名】００５０
【補正方法】変更
【補正の内容】
【００５０】
各収差図において、球面収差における実線と二点鎖線と一点鎖線と点線は各々ｅ線、g線、Ｃ線、Ｆ線である。非点収差における点線と実線は各々メリディオナル像面，サジタル像面であり、倍率色収差における二点鎖線と一点鎖線と点線は各々g線、Ｃ線、Ｆ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【手続補正６】
【補正対象書類名】明細書
【補正対象項目名】００５９
【補正方法】変更
【補正の内容】
【００５９】
広角端から望遠端への変倍に際して、第２レンズ群Ｌ２が像側へ直線的に移動するとき、第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【手続補正７】
【補正対象書類名】明細書
【補正対象項目名】００６６
【補正方法】変更
【補正の内容】
【００６６】
広角端から望遠端への変倍に際して、第２レンズ群Ｌ２が像側へ直線的に移動するとき、第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２７．２０ｍｍ）近傍で収差変動を補正するため一度物体側に移動し、その後非直線的な軌跡を描きながら概ね像側から物体側へ移動する。
【手続補正８】
【補正対象書類名】明細書
【補正対象項目名】００６８
【補正方法】変更
【補正の内容】
【００６８】
第１５レンズ面、第２３レンズ面、第２８レンズ面は非球面形状である。第１５レンズ面は主に広角側の歪曲収差補正、第２３レンズ面と第２８レンズ面は広角側におけるコマ収差等の軸外収差、望遠側における球面収差の補正を行っている。図６は数値実施例３の、広角端（ａ）、ｆ＝２７．２０ｍｍ（ｂ）、ｆ＝１００ｍｍ（ｃ）、ｆ＝３４０ｍｍ（ｄ）、望遠端（ｅ）における無限遠物体に合焦しているときの収差図である。
【手続補正９】
【補正対象書類名】明細書
【補正対象項目名】００７３
【補正方法】変更
【補正の内容】
【００７３】
広角端から望遠端への変倍に際して、第２レンズ群Ｌ２が像側へ直線的に移動するとき、第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２７．２０ｍｍ）近傍で収差変動を補正するため一度物体側に移動し、その後非直線的な軌跡を描きながら概ね像側から物体側へ移動する。
【手続補正１０】
【補正対象書類名】明細書
【補正対象項目名】００８０
【補正方法】変更
【補正の内容】
【００８０】
広角端から望遠端への変倍に際して、第２レンズ群内のＬ２１とＬ２２はｆ＝３４０ｍｍのズーム位置近傍で間隔が広がるように移動し、望遠端で狭くなるように移動する。第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【手続補正１１】
【補正対象書類名】明細書
【補正対象項目名】００８２
【補正方法】変更
【補正の内容】
【００８２】
第１１レンズ面、第１７レンズ面、第１９レンズ面、第２７レンズ面は非球面形状である。第１１レンズ面は主に広角側の歪曲収差補正、第１７レンズ面、第１９レンズ面と第２７レンズ面は広角側におけるコマ収差等の軸外収差、望遠側における球面収差の補正を行っている。図１０は数値実施例５の、広角端（ａ）、ｆ＝２５．９３ｍｍ（ｂ）、ｆ＝１００ｍｍ（ｃ）、ｆ＝３４０ｍｍ（ｄ）、望遠端（ｅ）における無限遠物体に合焦しているときの収差図である。
【手続補正１２】
【補正対象書類名】明細書
【補正対象項目名】００８７
【補正方法】変更
【補正の内容】
【００８７】
広角端から望遠端への変倍に際して、第２レンズ群Ｌ２が像側へ直線的に移動するとき、第３レンズ群Ｌ３と第４レンズ群Ｌ４はズーム中間で非直線的な軌跡を描きながら概ね像側から物体側へ移動する。第３レンズ群Ｌ３は広角側のズーム位置ｚ１（ｆ＝２５．９３ｍｍ）近傍で収差変動を補正するため一度物体側に移動し、その後非直線的な軌跡を描きながら概ね像側から物体側へ移動する。
【手続補正１３】
【補正対象書類名】明細書
【補正対象項目名】００８９
【補正方法】変更
【補正の内容】
【００８９】
第１１レンズ面、第１９レンズ面、第２６レンズ面は非球面形状である。第１１レンズ面は主に広角側の歪曲収差補正、第１９レンズ面と第２６レンズ面は広角側におけるコマ収差等の軸外収差、望遠側における球面収差の補正を行っている。図１２は数値実施例６の、広角端（ａ）、ｆ＝２５．９３ｍｍ（ｂ）、ｆ＝１００ｍｍ（ｃ）、ｆ＝３４０ｍｍ（ｄ）、望遠端（ｅ）における無限遠物体に合焦しているときの収差図である。